(57)【特許請求の範囲】
【請求項１】
金属製のディスクの外周部に切削用チップが周方向に等間隔に固着されて切削ブレードが形成され、この切削ブレードが回転軸に軸心を同一にすると共に、等間隔をあけて、且つ回転軸の軸方向に対して同じ傾斜状態で傾けられてドラム状に複数設けられ、上記の回転軸が切削機の駆動部に連結されるドラム型のカッターユニットであって、上記の回転軸の軸方向における両側端部の切削ブレードが、回転軸に対して直交状に、且つ隣りの切削ブレードに接して設けられていることを特徴とするドラム型のカッターユニット。
【請求項２】
請求項１記載のドラム型のカッターユニットであって、隣り合う切削ブレード同士が、一方の切削ブレードの切削用チップの間の溝状部に、他方の切削ブレードの切削用チップの周方向における中央位置を対応させた状態で、周方向に位置がずらされて設けられていることを特徴とするドラム型のカッターユニット。
【発明の詳細な説明】
【技術分野】
【０００１】
本発明は、ドラム型のカッターユニットに関し、更に詳しくは路面や床面等の表層を切削する切削機に取り付けて使用するドラム型のカッターユニットに関するものである。
【背景技術】
【０００２】
従来、この種の装置としては、例えば特許文献１に記載されているものがある。
この従来品は、ディスクの外周部にチップを設け、このチップの側面を接触させてディスクを同心状に複数枚重ね、このディスクにロッドを通し、ロッドの両端からナットで締め付けてディスクを一体化しているものである。
【０００３】
而して、この従来品の場合は、重合されているディスクの厚みが切削幅になるものである。従ってこの従来品で切削幅を拡げるときは、通常、ディスクの枚数を増加する必要があったから、これによると、ディスクの枚数が増加する分だけ、重量が増加し、切削機の駆動力を大きくする必要が生じ、また運搬性や操作性が低下し、コストが増加する、という問題点があった。
【０００４】
また従来品の場合、回転軸に並列されている切削ブレードの内、最端部の切削ブレードは、例えば切削機の移動方向が変わるとき、他の切削ブレードより大きな負荷が加わり易いものである。従って従来、この種の装置の場合、両側端部の切削ブレードの切削用チップは、他の切削ブレードの切削用チップより摩耗が進み易く、その結果、この位置の切削ブレードは交換頻度が高くなる、という問題点があった。
【先行技術文献】
【特許文献】
【０００５】
【特許文献１】特開２００９−５７８２５号公報
【発明の概要】
【発明が解決しようとする課題】
【０００６】
本発明は、このような従来品の問題点に鑑み、提案されたものである。
従って本発明の解決しようとする技術的課題は、円板状の切削ブレードを同心状に複数枚備えてドラム状に形成されているドラム型のカッターユニットにおいて、切削ブレードの枚数を減らしても広い幅を切削できるよう形成し、軽量化や低コスト化等を可能にすると共に、両側端部の切削ブレードの切削用チップの摩耗を抑え、両側端部の切削ブレードの交換サイクルを長くでき、切削機が方向転換したときでも切削機の移動方向に順応、対応し易くなるよう形成したドラム型のカッターユニットを提供することにある。
【課題を解決するための手段】
【０００７】
本発明は、上記の課題を解決するため、次のような技術的手段を採る。
即ち本発明は、図１等に示されるように、金属製のディスク１の外周部に切削用チップ２が周方向に等間隔に固着されて切削ブレード３が形成され、この切削ブレード３が回転軸５に軸心を同一にすると共に、等間隔をあけて、且つ回転軸５の軸方向に対して同じ傾斜状態で傾けられてドラム状に複数設けられ、上記の回転軸５が切削機６の駆動部６ａに連結されるドラム型のカッターユニットであって、上記の回転軸５の軸方向における両側端部の切削ブレード３ａが、回転軸５に対して直交状に、且つ隣りの切削ブレード３に接して設けられていることを特徴とする（請求項１）。
【０００８】
ここで、切削用チップ２としては、例えばダイヤモンド製のチップや、超硬合金製のチップがある。またここで、同じ傾斜状態とは、傾斜角度や傾斜方向が同じである、ということを意味する。この場合、切削ブレード３の傾斜角は、適宜選定されるので良い。本発明は、この傾斜角が大きいほど、１枚の切削ブレード３による切削幅が大きくなり、少ない枚数で広い幅を切削できる。
【０００９】
また本発明の場合、両側端部の切削ブレード３ａは、他の切削ブレード３と同一構造、同一種類のもので良いが、本発明はこれに限定されるものではない。
【００１０】
また本発明は、図１、図４等に示されるように、隣り合う切削ブレード３同士が、一方の切削ブレード３の切削用チップ２の間の溝状部４に、他方の切削ブレード３の切削用チップ２の周方向における中央位置を対応させた状態で、周方向に位置がずらされて設けられているのが好ましい（請求項２）。
【００１１】
なぜならこれによると、切削時の屑が隣りの切削ブレード３の切削用チップ２によって横方向に飛散することを防止でき、切削屑を各切削ブレード３の間から整然と掻き出して排出でき、また路面等への切削ブレード３の食い込みも良くなるからである。
【発明の効果】
【００１２】
本発明は、このように切削ブレードを、回転軸に、等間隔をあけて、且つ回転軸の軸方向に対して同じ傾斜状態で傾けて設けているものである。
従って本発明の場合は、切削ブレードが蛇行状に回転しながら切削するため、１枚の切削ブレードによる切削幅が、切削ブレードの厚みを超えて回転軸の軸方向において拡がるものである。
それ故これによれば、切削ブレードの枚数を減らしても、広い幅を切削でき、その分、軽量化でき、また運搬性や操作性を向上でき、コストを低廉化できるものである。
また本発明は、回転軸の軸方向における両側端部の切削ブレードが、回転軸に対して直交状に、且つ隣りの切削ブレードに接して設けられている。
従って本発明の場合、側端部の切削ブレードは、傾斜状の切削ブレードに比べ、路面からの抵抗が小さい状態で切削できるから、これによれば、両側端部の切削ブレードの切削用チップの摩耗を抑えることができ、両側端部の切削ブレードの交換サイクルを長くできる。
また本発明によると、切削機が方向転換したときでも切削機の移動方向に順応、対応し易くなる。
【図面の簡単な説明】
【００１３】
【図１】Ａは本発明のカッターユニットの好適な一実施形態を示す要部正面図、Ｂは切削ブレードの側面図である。
【図２】同上カッターユニットの分解斜視図である。
【図３】切削機の斜視図である。
【図４】同上カッターユニットの斜視図である。
【図５】同上カッターユニットの要部拡大正面図である。
【発明を実施するための形態】
【００１４】
以下、本発明を実施するための好適な一実施形態を、添付図面に従って説明する。
本発明は、図１等に示されるように、金属製のディスク１の外周部に、例えばダイヤモンドチップ等の切削用チップ２が周方向に等間隔に固着されている切削ブレード３を複数備えてドラム状に形成されている。この実施形態の場合、切削用チップ２は、ディスク１の外周部に周方向に一定の長さにわたって形成され、溝状部４をあけて断続的に形成されている。各切削ブレード３の外径は、同一である。
【００１５】
そして切削ブレード３は、回転軸５に、軸心を同一にして等間隔をあけて且つ回転軸５の軸方向に対して同じ傾斜状態で傾けられて設けられている。回転軸５は、切削機６（図３参照）の駆動部６ａに連結される。
なお、切削機６は、この実施形態では左右一対状の車輪６ｂと、操作ハンドル６ｃ等を備えて形成されている。
【００１６】
またこの実施形態の本発明は、回転軸５の軸方向における両側端部の切削ブレード３ａが、回転軸５に対して直交状に、且つ隣りの内側の切削ブレード３に接して設けられている。両側端部の切削ブレード３ａは、他の切削ブレード３と同一構造、同一種類のものである。
【００１７】
切削ブレード３、３ａの中心には、回転軸５が通される孔７が形成されている。また切削ブレード３、３ａは、その中心から９０度づつあけて、且つ中心から等距離の位置に小孔８が貫通状に形成されている。図２に示されるように、回転軸５の一端は、円板状のホルダー９に固定され、ホルダー９の内側面には、長螺子１０の基端が、ホルダー９の中心周りに９０度づつあけて回転軸５と平行に４本固定されている。この長螺子１０は、切削ブレード３、３ａの小孔８に通して切削ブレード３、３ａを支持するものであり、その先端部分は、一定の長さにわたって雄螺子状に形成されている。
【００１８】
両側端部の切削ブレード３ａは、図１、図４に示されるように、テーパースペーサー１１を介して隣りの内側の切削ブレード３に接して設けられている。テーパースペーサー１１には、図２に示されるように、切削ブレード３、３ａに形成されている孔７及び小孔８と同様の孔１１ａ及び小孔１１ｂが形成され、この孔１１ａ及び小孔１１ｂを介してテーパースペーサー１１は回転軸５と長螺子１０に嵌め挿される。またテーパースペーサー１１の内側面は、回転軸５の軸線に対し所定の角度だけ傾けられ、傾斜面状に形成されている。このテーパースペーサー１１の傾斜面の角度によって切削ブレード３の傾斜角が決定される。
【００１９】
また各切削ブレード３の間には、環状のスペーサー１２が挟まれている。この環状のスペーサー１２は、長螺子１０に嵌め挿され、その両側面は軸線に対して上記のテーパースペーサー１１の内側面と同じ角度の傾斜面に形成されている。各切削ブレード３は、この環状のスペーサー１２によって傾斜状に一定の間隔が保持され、また回転時の捩れや振動等が防止される。
【００２０】
また図１、図４等に示されるように、長螺子１０の先端側に、円板状のサイドプレート１３が嵌め挿され、ストッパー板１４を介してナット１５が長螺子１０の先端部分に螺合され、各構成部品が締め付けられている。これにより、切削ブレード３が回転軸５に対して同じ傾斜状態で傾けられ、また側端部の切削ブレード３ａは回転軸５に対して直交状に設けられ、全体がドラム状に形作られているものである。
【００２１】
而して、この実施形態の場合は、隣り合う切削ブレード３、３ａ同士が、図１、図４等に示されるように、一方の切削ブレード３、３ａの切削用チップ２の間の溝状部４に、他方の切削ブレード３、３ａの切削用チップ２の周方向における中央位置を対応させた状態で、周方向に位置がずらされて設けられている。本発明品は、これにより切削屑を溝状部４から側方に飛散させることなく、路面等に切削用チップ２を交互に食い込ませて確実に切削できるものである。
【００２２】
またこの実施形態の場合は、図５に示されるように、隣接する切削ブレード３同士の間隔が、正面視で切削ブレード３の内側上端に接する垂線Ｌ（回転軸５の軸方向と直交する線Ｌ）が、隣の切削ブレード３の厚みの中央を通る状態に形成されている。
従ってこの実施形態の場合は、切削ブレード３の厚みの半分の幅Ｗ１が、隣り合う切削ブレード３同士によって重複して切削されることになる。それ故これによると、重複切削の幅を抑えた状態で、切削ブレード３同士の境界の削り残しを防止できるものである。
【００２３】
次に本発明の作用を説明する。
本発明品は、図２に示されるような路面等の表面を切削する切削機６の駆動部６ａに、回転軸５（図４等参照）を連結して使用する。
【００２４】
切削機６の駆動部６ａが回転すると、この駆動部６ａの回転力が回転軸５に伝達し、本発明品が回転する。この場合、各切削ブレード３は、傾斜状に設けられているから、切削ブレード３は蛇行状（首振り状）に回転し、図１に示されるように、回転軸５の軸方向に沿った切削幅Wの範囲を切削する。
【００２５】
またこの実施形態の本発明品は、側端部の切削ブレード３ａが、回転軸５の軸方向に対して直交状に設けられている。従って側端部の切削ブレード３ａが、切削ブレード３ａの幅だけ（この実施形態の場合は切削用チップ２と切削ブレード３ａの幅が同一のため）、路面等を切削する。
それ故本発明品が回転すると、路面等は、切削ブレード３、３ａが回転軸５の軸方向に占める長さ分だけ切削される。
【００２６】
また本発明品の場合、側端部の切削ブレード３ａは、上記の通り、回転軸５の軸方向に対して直交状に設けられているから、傾斜状の切削ブレード３に比べ、路面からの抵抗が小さい状態で切削できる。
【００２７】
従って本発明品によると、切削機６が、例えば方向転換したときでも、切削機６の移動方向に順応、対応し易くなる。また側端部まで傾斜状の切削ブレード３で構成する場合に比べ、切削用チップ２の摩耗を抑えることができるから、本発明品によると、その分、側端部の切削ブレード３ａの交換サイクルを長くできる。
【符号の説明】
【００２８】
１      ディスク
２      切削用チップ
３      切削ブレード
３ａ 側端部の切削ブレード
５      回転軸
６      切削機
６ａ    駆動部
【図１】
0005327997.tif 000002
【図２】
0005327997.tif 000003
【図３】
0005327997.tif 000004
【図４】
0005327997.tif 000005
【図５】
0005327997.tif 000006